【手続補正書】
【提出日】平成28年2月18日(2016.2.18)
【手続補正１】
【補正対象書類名】特許請求の範囲
【補正対象項目名】全文
【補正方法】変更
【補正の内容】
【特許請求の範囲】
【請求項１】
真空および圧力での流体循環に適応した流体供給システムであって、
使用場所まで流体を配送するための処理キャニスターと、
少なくともひとつのバルクキャニスターから処理キャニスターに流体を供給する移送容器とを備えており、
移送容器が、（ｉ）少なくともひとつのバルクキャニスターから移送容器内に流体を引き込んで、そのバルクキャニスター内の真空状態を選択的に維持するよう配置された真空源と、（ｉｉ）搬送容器から処理キャニスターに流体を圧送するために配置された第一の加圧ガス源とに接続されたシステム。
【請求項２】
請求項１のシステムであって、圧力を用いて流体を使用場所まで移送するための第二の加圧ガス源に処理キャニスターを接続したシステム。
【請求項３】
請求項１のシステムであって、選択的に真空との釣り合いをとることのできるように配置された第三の加圧ガス源に少なくともひとつのバルクキャニスターを接続したシステム。
【請求項４】
請求項１のシステムであって、少なくともひとつのバルクキャニスター内の流体の圧力を感知して圧力を示すトランスデューサー出力を生成するようにした少なくともひとつの圧力トランスデューサーと、トランスデューサーからの出力を受信しこれに応じて流体の圧力の変化率を求めるようにしたプロセッサとを備え、少なくともひとつのバルクキャニスターが流体の空になり始めたとき、そのバルクキャニスター内の流体が空になり始める時点と相関して圧力の変化率が増加したことを示すプロセッサ出力をプロセッサが出すようにしたシステム。
【請求項５】
請求項１のシステムであって、移送容器の流体保持容積を、少なくともひとつのバルクキャニスターのいずれかと処理キャニスターの流体保持容積未満としたシステム。
【請求項６】
流体を使用のために配送する方法であって、
少なくともひとつのバルクキャニスターから移送容器内に真空によって流体を引き込む過程と、
移送容器を加圧して流体を強制的に処理キャニスターへ配給する過程と、
処理キャニスターにガスを供給して使用場所まで流体の移送を達成する過程とを含み、
処理キャニスターに供給されるガスの圧力を移送容器に供給されるガスよりも低くした方法。
【請求項７】
請求項６の方法であって、
少なくともひとつのバルク容器と処理容器との間の流体流路に配置された弁を閉じる過程と、
真空による流体の引き込みを中止する過程と、
使用場所への流体の一定の供給をもたらすための処理キャニスター内に十分な圧力を維持する過程と、
少なくともひとつのバルクキャニスター内の負圧を維持することによってそのバルクキャニスター内の流体に混入するガスの量を減少させる過程と、
少なくともひとつのバルクキャニスターの流体が空になりかけているとき、そのバルクキャニスター内の流体が空になりかける時点と相関して圧力の変化率が増加したことを示す信号を、そのバルクキャニスター内の圧力トランスデューサーから受けて感知する過程
のうちのいずれかひとつ以上を含む方法。
【請求項８】
請求項６の方法であって、移送容器の流体保持容積を少なくともひとつのバルクキャニスターと処理キャニスターのいずれかの流体保持容積よりも小さくした方法。
【請求項９】
請求項６の方法であって、
少なくともひとつのバルクキャニスター内の流体の圧力を感知しこれに応答して圧力を示すトランスデューサー出力を生成する過程と、
トランスデューサー出力から流体の圧力の変化率を決定する過程と、
少なくともひとつのバルクキャニスター内の流体の圧力の変化率からそのバルクキャニスター内の流体が空になりかけている時点を決定する過程とを含む方法。
【請求項１０】
流体の圧送配給に適応した流体供給システムであって、少なくともひとつのトート容器から下流の工程まで流体を供給するための貯留容器を備えており、この貯留容器が（ｉ）少なくともひとつのトート容器から貯留容器に３ｐｓｉｇ未満の圧力で流体を圧送するために配置された第一の加圧ガス源と、（ｉｉ）貯留容器から下流の工程まで流体を圧送するために配置された第二の加圧ガス源とに接続されたシステム。
【請求項１１】
請求項１０のシステムであって、貯留容器の流体保持容積がトート容器の流体保持容積よりも小さいシステム。
【請求項１２】
請求項１１のシステムであって、貯留容器に低液面センサと高液面センサとが設けられ、低液面センサが高液面センサよりも低い高さにあり、
貯留容器内の流体が低液面センサの高さまで下がったことを低液面センサが示したとき、流体が高液面センサの高さに達したことを高液面センサが示すまで、トート容器からさらなる流体が貯留容器内まで配送されるシステム。
【請求項１３】
請求項１０のシステムであって、第二の加圧ガス源が３ｐｓｉｇより高い圧力で貯留容器への供給を行うシステム。
【請求項１４】
請求項１３のシステムであって、トート容器が半剛性でありあらかじめ決められた折り目を備えているシステム。
【請求項１５】
請求項１３のシステムであって、トート容器が剛体のオーバーパックの内側に柔軟なライナーを配置して構成されているシステム。
【請求項１６】
請求項１３のシステムであって、トート容器が剛体のキャニスターを備えているシステム。
【請求項１７】
流体を使用のため配送する方法であって、
第一の圧力源からトート容器に第一圧力でガスを送り込むことによって少なくともひとつのトート容器から貯留容器内に流体を配送する過程と、
第二の圧力源から貯留容器に第二圧力でガスを送り込むことによって貯留容器から下流の工程まで流体を配送する過程とを含み、
トート容器に送り込むガスの圧力を貯留容器に送り込むガスよりも低くした方法。
【請求項１８】
請求項１７の方法であって、貯留容器の流体保持容積をトート容器の流体保持容積よりも小さくした方法。
【請求項１９】
請求項１８の方法であって、貯留容器に低液面センサと高液面センサが設けられ、低液面センサが高液面センサよりも低い高さにあり、貯留容器内の流体が低液面センサの高さまで下がったことを低液面センサが示したとき、流体が高液面センサの高さに達したことを高液面センサが示すまでトート容器から流体をさらに貯留容器内まで引き込む方法。
【請求項２０】
請求項１８の方法であって、流体が低液面センサから高液面センサまで上昇するにかかる時間を高液面センサと低液面センサが測定することによりトート容器が空になりかけている時点を検出するように構成し、その時間が所定の時間よりも大きい場合トート容器が空に近づいていると判断するようにした方法。
【請求項２１】
請求項１８の方法であって、トート容器が半剛性であってあらかじめ決められた折り目を備えている方法。
【請求項２２】
請求項１８の方法であって、トート容器が剛体のオーバーパックの内部に柔軟なライナーを配置して構成されている方法。
【請求項２３】
請求項１８の方法であって、トート容器が剛体のキャニスターを備えている方法。
【請求項２４】
請求項１８の方法であって、気泡センサを用いてトート容器が空に近づいている時点を検出するように構成した方法。
【請求項２５】
請求項１８の方法であって、トート容器が貯留容器よりも高い位置に配置されており、トート容器から貯留容器まで流体をサイフォン式に汲み出す過程をさらに含んでいる方法。
【請求項２６】
請求項１８の方法であって、第二圧力を約３０ｐｓｉｇとした方法。
【請求項２７】
流体を使用のため配送する方法であって、
少なくともひとつのトート容器から流体を貯留容器内に配送する過程と、
貯留容器から下流の工程まで流体を配送する過程とを含む方法。